(57)【特許請求の範囲】
【請求項１】
内部抽選処理を含む遊技に係る制御を実行するメイン基板と、少なくとも前記メイン基板に電力を供給する電源部とを備える遊技機において、
電源の異常を示すフラグを記憶する異常フラグ記憶部と、
前記電源部から前記メイン基板に供給される電力の電圧を監視し、前記電圧が予め定められた第１閾値から第２閾値まで降下する時間を計測する（ただし、第１閾値＞第２閾値）とともに、計測した時間が予め定められた異常判定閾値よりも短いときに前記異常フラグ記憶部に前記フラグをセットする電圧降下時間計測部と、を備え、
前記メイン基板は、前記電源部からの電力の供給が停止してから再び電力の供給が開始されたときに、前記異常フラグ記憶部の前記フラグを調べ、前記フラグがセットされているときに所定の処理を行うことを特徴とする遊技機。
【請求項２】
前記第１閾値は、前記メイン基板に供給される電力の電圧のオン状態を判定するための閾値であり、
前記第２閾値は、前記メイン基板に供給される電力の電圧のオフ状態を判定するための閾値であり、
前記異常判定閾値は、遊技機の通常の接続状態において予め計測された電圧降下時間に基づいて定められた値であり、通常の前記電圧降下時間よりも小さな値として定められることを特徴とする請求項１記載の遊技機。
【請求項３】
前記メイン基板は、前記フラグがセットされているときに異常と判定し、異常報知を行うこと、遊技の受付を停止すること、遊技に係る設定値を当選確率が低くなるように設定すること、及び、遊技に係る設定値の変更を受け付けないこと、のうちの少なくともいずれかを行うことを特徴とする請求項１又は請求項２記載の遊技機。
【発明の詳細な説明】
【技術分野】
【０００１】
この発明は、スロットマシン等の遊技機に関し、特に抽選処理に係る設定の変更に関するセキュリティを向上させたものに関する。
【背景技術】
【０００２】
スロットマシン等の遊技機において、遊技者が所定の枚数のメダルや遊技球等の遊技媒体を遊技機に投入してゲームを楽しむことができる。遊技に必要な遊技媒体は、遊技ホール内に設けられた遊技媒体貸機等で借りることができ、所望の遊技機の遊技媒体投入口に投入することによりゲームを開始することができる。
【０００３】
スロットマシンは、基本的に図柄が揃ったときに賞品としてメダルを払い出すものであるが、図柄が揃うかどうかは内部のコンピュータによる抽選の結果に従う。また、ビッグボーナス（ＢＢ）、レギュラーボーナス（ＲＢ）、小役などのさまざまな賞も内部のコンピュータによる抽選の結果に従う。抽選の処理については、所定の範囲内で設定可能（当選の確率を高くしたり低くしたりできる）であり、遊技機が設置されるホールなどにおいて店側により設定作業が行われる。
【０００４】
通常の遊技機は、ＢＢ，ＲＢ、小役等の抽選確率の異なる複数（例えば６つ）の抽選テーブルを予め備える。遊技機の抽選では、それら複数の抽選テーブルの中から１つが設定され、この設定された抽選テーブルに基づいて抽選による当たり／ハズレの判定がなされる。複数の抽選テーブルのうちどれを使用するかに関する設定を変更することを、設定の変更（以下、「設定変更」と記す）と称している。
【０００５】
従来、例えばスロットマシンのような遊技機では、設定値（通常１〜６）を変更する場合、遊技機の扉を開け、電源部に設けられた設定変更キースイッチに設定変更キーを挿入して当該キースイッチをオンにした状態で遊技機の電源を投入して設定変更可能な状態にし、設定変更ボタン（押ボタン）を１回押下するごとに、７セグメント表示器などに表示される設定値がインクリメントされて１〜６までの値を循環的に変化させ、所望する設定値が表示器に表示されたところでスタートスイッチを操作することで、所望する設定値を確定させていた。
【先行技術文献】
【特許文献】
【０００６】
【特許文献１】特開２００２−２９１９９４号公報
【発明の概要】
【発明が解決しようとする課題】
【０００７】
上述した設定変更はホールの方針に従って係員が行うものである。しかし、自己に有利なように不正に設定変更を行い、利益を得ようとする者がいた。このような不正行為を行う者により、ホールが損害を被っている。手口としては遊技機筐体の隙間から道具を挿入して下扉を開かない状態で設定変更を行う、あるいは、下扉をわずかに開いた状態で道具を用いて行う等、いろいろある。
【０００８】
ところで、設定変更を完了するためには、遊技機の電源を一度オフにした後に再度オンにするという操作を行わなければならない。これは上記不正行為の場合も変わらず、したがって、不正行為者は、設定変更を行うためのスイッチとともに電源スイッチも操作する必要がある。
【０００９】
不正行為を防止するために、電源スイッチを操作しづらいように遊技機の奥（扉のヒンジ側）に設けたり、カバーを設けることで、電源スイッチを不正に操作できなくすることが行われている。これに対抗して、不正行為者は、電源スイッチを直接操作することに代えて、メイン基板への電源用ハーネス（配線）に不正にスイッチを設け、これを操作することで電源オフオンを行うようになってきた。従来の遊技機は、このような不正なスイッチの操作から防御する手段を持っていなかった。
【００１０】
この発明は上記課題に鑑みてなされたもので、電源線を含むハーネスに設けられた不正なスイッチの操作を、電源スイッチの正常な操作と区別することができ、そのような不正行為を防止することのできる遊技機を提供することを目的としている。
【課題を解決するための手段】
【００１１】
この発明は、内部抽選処理を含む遊技に係る制御を実行するメイン基板と、少なくとも前記メイン基板に電力を供給する電源部とを備える遊技機において、
電源の異常を示すフラグを記憶する異常フラグ記憶部と、
前記電源部から前記メイン基板に供給される電力の電圧を監視し、前記電圧が予め定められた第１閾値から第２閾値まで降下する時間を計測する（ただし、第１閾値＞第２閾値）とともに、計測した時間が予め定められた異常判定閾値よりも短いときに前記異常フラグ記憶部に前記フラグをセットする電圧降下時間計測部と、を備え、
前記メイン基板は、前記電源部からの電力の供給が停止してから再び電力の供給が開始されたときに、前記異常フラグ記憶部の前記フラグを調べ、前記フラグがセットされているときに所定の処理を行うものである。
【００１２】
前記第１閾値は、前記メイン基板に供給される電力の電圧のオン状態を判定するための閾値であり、
前記第２閾値は、前記メイン基板に供給される電力の電圧のオフ状態を判定するための閾値であり、
前記異常判定閾値は、遊技機の通常の接続状態において予め計測された電圧降下時間に基づいて定められた値であり、通常の前記電圧降下時間よりも小さな値として定められる。
【００１３】
前記メイン基板は、前記フラグがセットされているときに異常と判定し、異常報知を行うこと、遊技の受付を停止すること、遊技に係る設定値を当選確率が低くなるように設定すること、及び、遊技に係る設定値の変更を受け付けないこと、のうちの少なくともいずれかを行う。
【発明の効果】
【００１４】
この発明によれば、電源オフ時の電圧降下時間を計測し、それが予め定められた閾値より小さいときに異常フラグをセットするので、ハーネスに設けられた不正なスイッチの操作を、電源スイッチの正常な操作と区別することができる。これにより、不正な設定変更を阻止することができる。
【図面の簡単な説明】
【００１５】
【図１】前扉を閉めた状態を示すスロットマシンの正面図である。
【図２】前扉を１８０度開いた状態を示すスロットマシンの正面図である。
【図３】スロットマシンのブロック図である。
【図４】遊技機の設定変更の概略手順を示すフローチャートである。
【図５】発明の実施の形態に係る遊技機のブロック図である。
【図６】発明の実施の形態に係る遊技機の電源オフ時の処理フローチャートである。
【図７】図７（ａ）は正常な電源系統を示し、図７（ｂ）は正常な電源オフ時の電圧のグラフを示す。
【図８】図８（ａ）は不正行為時の電源系統を示し、図８（ｂ）は不正行為時の電源オフ時の電圧のグラフを示す。
【図９】発明の実施の形態に係る遊技機の電源オン時の処理フローチャートである。
【図１０】発明の実施の形態に係る遊技機のブロック図である。
【図１１】発明の実施の形態に係る他の遊技機のブロック図である。
【図１２】発明の実施の形態に係る他の遊技機のブロック図である。
【図１３】図１３（ａ）は正常な電源系統を示し、図１３（ｂ）は正常な電源オフ時の電圧のグラフ、及び、タイミングチャートを示す。
【図１４】図１４（ａ）は不正行為時の電源系統を示し、図１４（ｂ）は不正行為時の電源オフ時の電圧のグラフ、及び、タイミングチャートを示す。
【発明を実施するための形態】
【００１６】
図１は前扉を閉めた状態を示すスロットマシンの正面図、図２は前扉を１８０度開いた状態を示すスロットマシンの正面図を示す。
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２の下側には、メダル投入口１３２から投入され、詰まってしまったメダルをスロットマシン１００外に強制的に排出するためのリジェクトボタン１３３が設けられている。
【００１７】
また、前記ゲーム表示部１３１の左下方には、ゲームを開始するためのスタートスイッチ１３４を設けてあり、３つの回胴のそれぞれに対応して３つのストップスイッチ１４０を設けてある。前扉の下端部中央には、メダルの払出し口１３５を設けてある。前記ゲーム表示部１３１の上側には、液晶表示装置ＬＣＤが設けてある。
【００１８】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回胴からなるリール（回胴）ユニット２０３が設置されている。リールユニット２０３は、外周面に複数種類の図柄が配列されている３つの回胴（第１回胴〜第３回胴）を備えている。ゲーム表示部１３１には開口部が設けられていて、それを通して遊技者が前記リールユニット２０３の各回転回胴の図柄を見ることができるようになっている。ホッパ装置１２１の左側には電源部２０５が設けられている。
【００１９】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２０】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２１】
図３は発明の実施の形態に係るスロットマシン１００の機能ブロック図を示す。
この図において電源系統についての表示は省略されている。ここでは図示しないが、スロットマシンは商用電源（ＡＣ１００Ｖ）から直流電源（＋５Ｖなど）を発生するための電源部（図２の符号２０５）を備える。
【００２２】
スロットマシン１００は、その主要な処理装置としてメイン基板（処理部）１０とこれからコマンドを受けて動作するサブ基板２０とを備える。なお、少なくともメイン基板１０は、外部から接触不能となるようにケース内部に収容され、これら基板を取り外す際に痕跡が残るように封印処理が施されている。
【００２３】
メイン基板１０は、遊技者の操作を受けて内部抽選を行ったり、回胴の回転・停止やメダルの払い出しなどの処理を行うためのものである。メイン基板１０は、予め設定されたプログラムに従って制御動作を行うＣＰＵと、前記プログラムを記憶する記憶手段であるＲＯＭおよび処理結果などを一時的に記憶するＲＡＭを含む。
【００２４】
サブ基板２０は、メイン基板１０からコマンド信号を受けて内部抽選の結果を報知したり各種演出を行うためのものである。サブ基板２０は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１０からサブ基板２０への一方のみであり、逆にサブ基板２０からメイン基板１０へコマンド等が出されることはない。
【００２５】
メイン基板１０には、ベットスイッチＢＥＴ、スタートスイッチ１３４，ストップボタン１４０，リール（回胴）ユニット２０３、ホッパ駆動部８０、ホッパ８１及びホッパ８１から払い出されたメダルの枚数を数えるためのメダル検出部８２（これら８０、８１、８２は前述のホッパ装置１２１を構成する）が接続されている。サブ基板２０には液晶表示装置の制御用の液晶制御基板２００、スピーカ基板２０１、ＬＥＤ基板２０２などの周辺基板（ローカル基板）が接続されている。液晶制御基板２００には、図１の液晶表示装置ＬＣＤが接続されている。
【００２６】
メイン基板１０には、さらに、メダルセレクタ１のメダルセンサＳ１及びＳ２が接続されている。
【００２７】
メダルセレクタ１には、メダルを計数するためのメダルセンサＳ１及びＳ２が設けられている。メダルセンサＳ１及びＳ２は、メダルセレクタ１に設けられた図示しないメダル通路の下流側（出口近傍）に設けられている（メダル通路の上流側はメダル投入口１３２に連通している）。２つのメダルセンサＳ１とＳ２は、メダルの進行方向に沿って所定間隔を空けて並べて設けられている。メダルセンサＳ１、Ｓ２は、例えば、互いに対向した発光部と受光部とを有して断面コ字状に形成され、その検出光軸をメダル通路内に上方から臨ませて位置するフォトインタラプタである。各フォトインタラプタにより、途中で阻止されずに送られてきたメダルの通過が検出される。なお、フォトインタラプタを２つ隣接させたのは、メダル枚数を検出するだけでなく、メダルの通過が正常か否かを監視するためである。すなわち、フォトインタラプタを２つ隣接させて設けることにより、メダルの通過速度や通過方向を検出することができ、これによりメダル枚数だけでなく、逆方向に移動する不正行為を感知することができる。
【００２８】
リールユニット２０３は、３つの回胴４０ａ〜４０ｃと、これらをそれぞれ回転させるステッピングモータ１５５ａ〜１５５ｃと、それらの位置をそれぞれ検出する回胴位置検出器１５９ａ〜１５９ｃとを備える（なお、ステッピングモータ１５５ａ〜１５５ｃを単にモータ１５５あるいはモータと記すことがある）。
【００２９】
ホッパ駆動部８０は、ホッパ８１を回転駆動して、メイン基板１０によって指示された払出数のメダルを払い出す動作を行う。遊技機は、メダルを１枚払い出す毎に作動するメダル検出部８２を備えており、メイン基板１０は、メダル検出部８２からの入力信号に基づいてホッパ８１から実際に払い出されたメダルの数を管理することができる。
【００３０】
投入受付部１０５０は、メダルセレクタ１のメダルセンサＳ１とＳ２の出力を受け、遊技毎にメダルの投入を受け付けて、規定投入数に相当するメダルが投入されたことに基づいて、スタートスイッチ１３４に対する第１回胴〜第３回胴の回転開始操作を許可する処理を行う。なお、スタートスイッチ１３４の押下操作が、第１回胴〜第３回胴の回転を開始させる契機となっているとともに、内部抽選を実行する契機となっている。また、遊技状態に応じて規定投入数を設定し、通常状態およびボーナス成立状態では規定投入数を３枚に設定し、ボーナス状態では規定投入数を１枚に設定する。
【００３１】
メダルが投入されると、遊技状態に応じた規定投入数を限度として、投入されたメダルを投入状態に設定する。あるいは、遊技機にメダルがクレジットされた状態で、ベットスイッチＢＥＴが押下されると、遊技状態に応じた規定投入数を限度して、クレジットされたメダルを投入状態に設定する。メダルの投入を受け付けるかどうかは、メイン基板１０が制御する。スタートスイッチ１３４が押下され各回胴の回転が開始した時点（遊技開始時点）から３つのストップスイッチ１４０が押下され各回胴の回転が停止した時点（入賞した場合はメダル払い出しが完了した時点）（遊技終了時点）の間であって、メダルの投入を受け付ける状態になっていないときは（許可されていないときは）、メダルを投入してもメダルセンサＳ１、Ｓ２でカウントされず、そのまま返却される。同様に、メイン基板１０は、メダルの投入を受け付ける状態か否かに応じて、ベットスイッチＢＥＴの有効／無効を制御する。また、前記遊技終了時点から前記遊技開始時点までの間でベットスイッチＢＥＴは有効となるが、これ以外の期間においては（ＢＥＴスイッチの押下が許可されていないときは）、ベットスイッチＢＥＴを押下しても、それは無視される。
【００３２】
メイン基板１０は、乱数発生手段１１００を内蔵する。乱数発生手段１１００は、抽選用の乱数値を発生させる手段である。乱数値は、例えば、インクリメントカウンタ（所定のカウント範囲を循環するように数値をカウントするカウンタ）のカウント値に基づいて発生させることができる。なお本実施形態において「乱数値」には、数学的な意味でランダムに発生する値のみならず、その発生自体は規則的であっても、その取得タイミング等が不規則であるために実質的に乱数として機能しうる値も含まれる。
【００３３】
内部抽選手段１２００は、遊技者がスタートスイッチ１３４からのスタート信号に基づいて、役の当否を決定する内部抽選を行う。すなわち、メイン基板１０のメモリ（図示せず）に記憶されている抽選テーブル（図示せず）を選択する抽選テーブル選択処理、乱数発生手段１１００から得た乱数の当選を判定する乱数判定処理、当選の判定結果で大当たりなどに当選したときにその旨のフラグを設定する抽選フラグ設定処理などを行う。
【００３４】
抽選テーブル選択処理では、図示しない記憶手段（ＲＯＭ）に格納されている複数の抽選テーブル（図示せず）のうち、いずれの抽選テーブルを用いて内部抽選を行うかを決定する。抽選テーブルでは、複数の乱数値（例えば、０〜６５５３５の６５５３６個の乱数値）のそれぞれに対して、リプレイ、小役（ベル、チェリー）、レギュラーボーナス（ＲＢ：ボーナス）、およびビッグボーナス（ＢＢ：ボーナス）などの各種の役が対応づけられている。また、遊技状態として、通常状態、ボーナス成立状態、およびボーナス状態が設定可能とされ、さらにリプレイの抽選状態として、リプレイ無抽選状態、リプレイ低確率状態、リプレイ高確率状態が設定可能とされる。
【００３５】
乱数判定処理では、スタートスイッチ１３４からのスタート信号に基づいて、遊技毎に前記乱数発生手段（図示せず）から乱数値（抽選用乱数）を取得し、取得した乱数値について前記抽選テーブルを参照して役に当選したか否かを判定する。
【００３６】
抽選フラグ設定処理では、乱数判定処理の結果に基づいて、当選したと判定された役の抽選フラグを非当選状態（第１のフラグ状態、オフ状態）から当選状態（第２のフラグ状態、オン状態）に設定する。２種類以上の役が重複して当選した場合には、重複して当選した２種類以上の役のそれぞれに対応する抽選フラグが当選状態に設定される。抽選フラグの設定情報は、記憶手段（ＲＡＭ）に格納される。
【００３７】
入賞するまで次回以降の遊技に当選状態を持ち越し可能な抽選フラグ（持越可能フラグ）と、入賞の如何に関わらず次回以降の遊技に当選状態を持ち越さずに非当選状態にリセットされる抽選フラグ（持越不可フラグ）とが用意されていることがある。この場合、前者の持越可能フラグが対応づけられる役としては、レギュラーボーナス（ＲＢ）およびビッグボーナス（ＢＢ）があり、それ以外の役（例えば、小役、リプレイ）は後者の持越不可フラグに対応づけられている。
【００３８】
すなわち抽選フラグ設定処理では、内部抽選でレギュラーボーナスに当選すると、レギュラーボーナスの抽選フラグの当選状態を、レギュラーボーナスが入賞するまで持ち越す処理を行い、内部抽選でビッグボーナスに当選すると、ビッグボーナスの抽選フラグの当選状態を、ビッグボーナスが入賞するまで持ち越す処理を行う。このときメイン基板１０は、内部抽選機能により、レギュラーボーナスやビッグボーナスの抽選フラグの当選状態が持ち越されている遊技でも、レギュラーボーナスおよびビッグボーナス以外の役（小役およびリプレイ）についての当否を決定する内部抽選を行っている。すなわち抽選フラグ設定処理では、レギュラーボーナスの抽選フラグの当選状態が持ち越されている遊技において、内部抽選で小役あるいはリプレイが当選した場合には、既に当選しているレギュラーボーナスの抽選フラグと内部抽選で当選した小役あるいはリプレイの抽選フラグとからなる２種類以上の役に対応する抽選フラグを当選状態に設定し、ビッグボーナスの抽選フラグの当選状態が持ち越されている遊技において、内部抽選で小役あるいはリプレイが当選した場合には、既に当選しているビッグボーナスの抽選フラグと内部抽選で当選した小役あるいはリプレイの抽選フラグとからなる２種類以上の役に対応する抽選フラグを当選状態に設定する。
【００３９】
回胴制御手段１３００は、遊技者のスタートスイッチ１３４の押下操作（回転開始操作）によるスタート信号に基づいて、第１回胴〜第３回胴をステッピングモータにより回転駆動させ、第１回胴〜第３回胴の回転速度が所定速度（約８０ｒｐｍ：１分間あたり約８０回転となる回転速度）に達した状態において回転中の回胴にそれぞれ対応する３つのストップボタン１４０の押下操作（停止操作）を許可する制御を行うとともに、ステッピングモータにより回転駆動されている第１回胴〜第３回胴を抽選フラグの設定状態（内部抽選の結果）に応じて停止させる制御を行う。
【００４０】
また、回胴制御手段１３００は、３つのストップボタン１４０に対する押下操作（停止操作）が許可（有効化）された状態において、遊技者が３つのストップボタン１４０を押下することにより、その回胴停止信号に基づいて、リールユニット２０３のステッピングモータへの駆動パルス（モータ駆動信号）の供給を停止することにより、第１回胴〜第３回胴の各回胴を停止させる制御を行う。
【００４１】
すなわち、回胴制御手段１３００は、３つのストップボタン１４０の各ボタンが押下される毎に、第１回胴〜第３回胴のうち押下されたボタンに対応する回胴の停止位置を決定して、決定された停止位置で回胴を停止させる制御を行っている。具体的には、記憶手段（ＲＯＭ）に記憶されている停止制御テーブル（図示せず）を参照して３つのストップボタンの押下タイミングや押下順序等（停止操作の態様）に応じた第１回胴〜第３回胴の停止位置を決定し、決定された停止位置で第１回胴〜第３回胴を停止させる制御を行う。
【００４２】
ここで停止制御テーブルでは、ストップボタン１４０の作動時点における第１回胴〜第３回胴の位置（押下検出位置）と、第１回胴〜第３回胴の実際の停止位置（または押下検出位置からの滑りコマ数）との対応関係が設定されている。抽選フラグの設定状態に応じて、第１回胴〜第３回胴の停止位置を定めるための停止制御テーブルが用意されることもある。
【００４３】
遊技機では、リールユニット２０３がフォトセンサからなるインデックスセンサを備えており、回胴制御手段１３００は、回胴が１回転する毎にインデックスセンサで検出される基準位置信号に基づいて、回胴の基準位置（インデックスセンサによって検出されるコマ）からの回転角度（ステップモータの回転軸の回転ステップ数）を求めることによって、現在の回胴の回転状態を監視することができるようになっている。すなわち、メイン基板１０は、ストップスイッチ１４０の作動時における回胴の位置を、回胴の基準位置からの回転角度を求めることにより得ることができる。
【００４４】
回胴制御手段１３００は、いわゆる引き込み処理と蹴飛ばし処理とを回胴を停止させる制御として行っている。引き込み処理とは、抽選フラグが当選状態に設定された役に対応する図柄が有効な入賞判定ライン上に停止するように（当選した役を入賞させることができるように）回胴を停止させる制御処理である。一方蹴飛ばし処理とは、抽選フラグが非当選状態に設定された役に対応する図柄が有効な入賞判定ライン上に停止しないように（当選していない役を入賞させることができないように）回胴を停止させる制御処理である。すなわち本実施形態の遊技機では、上記引き込み処理及び蹴飛ばし処理を実現させるべく、抽選フラグの設定状態、ストップボタン１４０の押下タイミング、押下順序、既に停止している回胴の停止位置（表示図柄の種類）などに応じて各回胴の停止位置が変化するように停止制御テーブルが設定されている。このように、メイン基板１０は、抽選フラグが当選状態に設定された役の図柄を入賞の形態で停止可能にし、一方で抽選フラグが非当選状態に設定された役の図柄が入賞の形態で停止しないように第１回胴〜第３回胴を停止させる制御を行っている。
【００４５】
遊技機では、第１回胴〜第３回胴が、ストップボタン１４０が押下された時点から１９０ｍｓ以内に、押下されたストップボタンに対応する回転中の回胴を停止させる制御状態に設定されている。すなわち回転している各回胴の停止位置を決めるための停止制御テーブルでは、ストップボタン１４０の押下時点から各回胴が停止するまでに要するコマ数が０コマ〜４コマの範囲（所定の引き込み範囲）で設定されている。
【００４６】
入賞判定手段１４００は、第１回胴〜第３回胴の停止態様に基づいて、役が入賞したか否かを判定する処理を行う。具体的には、記憶手段（ＲＯＭ）に記憶されている入賞判定テーブルを参照しながら、第１回胴〜第３回胴の全てが停止した時点で入賞判定ライン上に表示されている図柄組合せが、予め定められた役の入賞の形態であるか否かを判定する。
【００４７】
入賞判定手段１４００は、その判定結果に基づいて、入賞時処理を実行する。入賞時処理としては、例えば、小役が入賞した場合にはホッパ８１を駆動してメダルの払出制御処理が行われるか、あるいはクレジットの増加され（規定の最大枚数例えば５０枚まで増加され、それを超えた分だけ実際にメダル払い出される）、リプレイが入賞した場合にはリプレイ処理が行われ、ビッグボーナスやレギュラーボーナスが入賞した場合には遊技状態を移行させる遊技状態移行制御処理が行われる。
【００４８】
払出制御手段１５００は、遊技結果に応じたメダルの払い出しに関する払出制御処理を行う。具体的には、小役が入賞した場合に、役毎に予め定められている配当に基づいて遊技におけるメダルの払出数を決定し、決定された払出数に相当するメダルを、ホッパ駆動部８０でホッパ８１を駆動して払い出させる。この際に、ホッパ８１に内蔵される図示しないモータに電流が流れることになる。
【００４９】
メダルのクレジット（内部貯留）が許可されている場合には、ホッパ８１によって実際にメダルの払い出しを行う代わりに、記憶手段（ＲＡＭ）のクレジット記憶領域（図示省略）に記憶されているクレジット数（クレジットされたメダルの数）に対して払出数を加算するクレジット加算処理を行って仮想的にメダルを払い出す処理を行う。
【００５０】
リプレイ処理手段１６００は、リプレイが入賞した場合に、次回の遊技に関して遊技者の所有するメダルの投入を要さずに前回の遊技と同じ準備状態に設定するリプレイ処理（再遊技処理）を行う。リプレイが入賞した場合には、遊技者の手持ちのメダル（クレジットメダルを含む）を使わずに前回の遊技と同じ規定投入数のメダルが自動的に投入状態に設定される自動投入処理が行われ、遊技機が前回の遊技と同じ入賞判定ラインを有効化した状態で次回の遊技における回転開始操作（遊技者によるスタートスイッチ１３４の押下操作）を待機する状態に設定される。リプレイの抽選状態として、リプレイが内部抽選の対象から除外されるリプレイ無抽選状態、リプレイの当選確率が約１／７．３に設定されるリプレイ低確率状態、およびリプレイの当選確率が約１／６に設定されるリプレイ高確率状態という複数種類の抽選状態を設定可能とされている。リプレイの抽選状態を変化させることにより、内部抽選におけるリプレイの当選確率を変動させる。
【００５１】
また、メイン基板１０は、通常状態、ボーナス成立状態、およびボーナス状態の間で遊技状態を移行させる制御を行うことがある（遊技状態移行制御機能）。遊技状態の移行条件は、１の条件が定められていてもよいし、複数の条件が定められていてもよい。複数の条件が定められている場合には、複数の条件のうち１の条件が成立したこと、あるいは複数の条件の全てが成立したことに基づいて、遊技状態を他の遊技状態へ移行させることができる。
【００５２】
通常状態は、複数種類の遊技状態の中で初期状態に相当する遊技状態で、通常状態からはボーナス成立状態への移行が可能となっている。ボーナス成立状態は、内部抽選でビッグボーナスあるいはレギュラーボーナスに当選したことを契機として移行する遊技状態である。ボーナス成立状態では、通常状態における内部抽選でビッグボーナスが当選した場合、ビッグボーナスが入賞するまでビッグボーナスに対応する抽選フラグが当選状態に維持され、通常状態における内部抽選でレギュラーボーナスが当選した場合、レギュラーボーナスが入賞するまでレギュラーボーナスに対応する抽選フラグが当選状態に維持される。ボーナス状態では、ボーナス遊技によって払い出されたメダルの合計数により終了条件が成立したか否かを判断し、入賞したボーナスの種類に応じて予め定められた払出上限数を超えるメダルが払い出されると、ボーナス状態を終了させて、遊技状態を通常状態へ復帰させる。
【００５３】
サブ基板２０は、メイン基板１０からのコマンドに従い、予め定められた画面を液晶表示装置ＬＣＤに表示させるためのコマンド（液晶表示装置用コマンド、描画コマンド）を生成する。
【００５４】
図４、遊技機の概略の設定変更フローチャートを示す。図４を参照して、設定変更手順を簡単に説明する。
【００５５】
ホール係員が遊技機の電源をオフにし（Ｓ２０）、図示しない設定キースイッチ（電源部２０５に設けられている）をオンにする（Ｓ２１）。そして、その状態で遊技機の電源をオンにする（Ｓ２２）。電源スイッチは電源部２０５に設けられている。すると、設定変更モードになりメイン基板１０が設定変更処理を開始する。設定変更モードになったら、所定の手順で設定変更を行う（Ｓ２３）。具体的には、ホール係員が図示しない設定変更／リセットスイッチ（電源部２０５に設けられている）を押して設定値を所望の値に設定する。設定値は、メイン基板１０により遊技機の図示しない表示部（例えば遊技機の前面に設けられた日の字型ＬＥＤ表示器）に表示される。所望の設定値になったら、ホール係員がスタートスイッチ１３４を押下する（Ｓ２４）。設定値の更新処理が行われる（Ｓ２５）。すなわち、メイン基板１０は、Ｓ２３で設定された新しい設定値をメイン基板１０のメモリに記憶する。図示しない設定キースイッチがオフにされることで、設定変更処理が終了する（Ｓ２６）。
【００５６】
図５は、発明の実施の形態に係るメイン基板のブロック図を示す。同図は、発明の実施の形態に関連する部分のみを示しており、他の部分の表示は省略している。
【００５７】
電源部２０５には電源スイッチＰＳＷが設けられており、これを操作することで電源をオンオフする。すなわち、電源スイッチＰＳＷをオンにすることで電源部から電源電圧ＶＣＣがメイン基板や他の基板に供給される。
【００５８】
１０−１は、電源スイッチＰＳＷをオフにしたときに、電源電圧ＶＣＣが降下する時間を計測する電圧降下時間計測部である。
【００５９】
１０−２は、電圧降下時間計測部１０−１により計測された電源電圧ＶＣＣの降下する時間が予め定められた閾値よりも短いと判定されたときに、異常フラグがセットされる異常フラグ記憶部である。
【００６０】
１０−３は、異常フラグがセットされているときに異常を報知する異常報知部である。
【００６１】
１０−４は、電圧降下時間計測部１０−１について、少なくとも、電源オフ時の電圧降下時間を計測する動作を行うために十分な電流を供給するバックアップ電源又は蓄電器Ａ（１０−４）である。
【００６２】
１０−５は、異常フラグ記憶部１０−２について、少なくとも、電源オフにおいて記憶内容を保持するために十分な電流を供給するバックアップ電源又は蓄電器Ｂ（１０−５）である。
【００６３】
なお、表記を簡単にするために、以下の説明において、バックアップ電源又は蓄電器Ａ（１０−４）、バックアップ電源又は蓄電器Ｂ（１０−５）は、それぞれ、蓄電器Ａ、蓄電器Ｂと記す。
【００６４】
蓄電器Ａ及び蓄電器Ｂは、二次電池又はコンデンサなどの蓄電器である。これらはひとつの二次電池又は蓄電器で共用することもできる。
【００６５】
図６は、電源オフ時の処理フローチャートである。図７（ａ）は正常時の電源ＶＣＣの系統図、同図（ｂ）は電源オフ時の電源ＶＣＣの電圧降下の様子を示すタイミングチャート、図８（ｂ）は不正行為時の系統図、同図（ｂ）は不正行為時のタイミングチャートである。以下、これらの図を参照して発明の実施の形態に係る遊技機の動作説明を行う。
【００６６】
Ｓ１：電圧降下時間を計測する。計測した時間とＴｍとする。
電圧降下時間計測部１０−１により電圧降下時間を計測する。
電源部２０５は、通常、その内部に大容量のコンデンサＣ１を備えている。このため、電源スイッチＰＳＷをオフにしても、図７（ｂ）に示すように、電源電圧ＶＣＣはすぐには低下することなく、所定の降下時間Ｔｍ１経過した後に電源電圧ＶＣＣはゼロとなる。
【００６７】
具体的には、電源電圧ＶＣＣがオン（電圧が既定値であること）であると判定するための閾値ＶＵｔｈと、オフ（＝ゼロ）であると判定するための閾値ＶＬｔｈとが予め定められ、電源電圧ＶＣＣが閾値ＶＵｔｈより大きいとき電源電圧ＶＣＣがオンとされ、電源電圧ＶＣＣが閾値ＶＬｔｈより小さいとき電源電圧ＶＣＣがオフとされる（図８（ｂ）でも同じ。同図ではＴｍ２が短いためｔ１とｔ４の表示は省略している）。図７（ｂ）の例では、時刻ｔ１で電圧が低下し始め、時刻ｔ２で閾値ＶＵｔｈになり、時刻ｔ３で閾値ＶＬｔｈになり、時刻ｔ４でゼロになる。本発明の実施の形態で監視するのは、時刻ｔ２とｔ３であり、時刻ｔ１とｔ４は説明の便宜上表示しただけのものである。
【００６８】
電圧降下時間計測部１０−１が測定するのは、時刻ｔ２からｔ３までの時間であるＴｍである（図７（ｂ）と図８（ｂ）では説明の便宜上Ｔｍ１，Ｔｍ２と表示しているがこれらはいずれもＴｍである）。
【００６９】
閾値ＶＵｔｈ、閾値ＶＬｔｈは、それぞれ電圧降下の開始と終了を規定する電圧であり、電圧降下時間を適切に計測できるように設定される。閾値ＶＵｔｈは、電源部２０５による電源電圧ＶＣＣの通常の変動の影響を受けないように、その変動幅よりも大きくなるように設定する。仮に変動幅が５％であるとすれば、例えば、閾値ＶＵｔｈは電圧ＶＣＣの標準値の９０％に設定される。閾値ＶＬｔｈは、電圧が無くなったとみなせる程度、すなわち接地電位（＝ゼロボルト）程度に設定される。例えば、１０％に設定される。
【００７０】
Ｓ２：計測したＴｍを予め定められた閾値（異常判定閾値）と比較する。
この閾値（異常判定閾値）は、上記閾値ＶＵｔｈ、閾値ＶＬｔｈとは異なり、時間に関する値である。
【００７１】
上述のように、電源スイッチＰＳＷのオフから電源電圧ＶＣＣのゼロまでには、降下時間Ｔｍ１を要する。これが正常な降下時間である。そこで、正常な降下時間Ｔｍ１に基づき上記閾値（異常判定閾値）を設定する。言い換えれば、正常な降下時間Ｔｍ１と後述の異常な降下時間Ｔｍ２とを弁別できるように上記閾値（異常判定閾値）を設定する。正常な降下時間Ｔｍ１は、数百ミリ秒〜２，３秒であるのに対し、異常な降下時間Ｔｍ２は数ミリ秒程度である。そこで、例えば、Ｔｍ１の５０％乃至８０％程度を閾値（異常判定閾値）とする。
【００７２】
すなわち、閾値（異常判定閾値）は、図７（ａ）のような正しい（設計でさだめられた通常の）接続状態において計測された降下時間Ｔｍ１（例えば何回か計測された値の平均値あるいは最小値）に基づき定められる。通常の降下時間Ｔｍ１は、設計上の値、あるいは工場出荷時などの検査の段階における実測上の値である。一般的には、設計仕様書上は降下時間Ｔｍ１が定められていないことが想定されるので、実測上の値を通常の値とすることができる。当該値が遊技機ごとに変動する場合は、遊技機ごとに実測し、その結果を通常の値とするようにできる。あるいは、何台か遊技機について実測し、その結果から最小の降下時間を求め、これを通常の値として同じ機種すべてについて適用するようにしてもよい。
【００７３】
閾値（異常判定閾値）を上記のように設定した場合において、電圧降下時間計測部１０−１が図７（ｂ）の正常な降下時間Ｔｍ１を計測したとき、Ｓ２でＴｍ≧閾値となる（Ｔｍ１≧０．５〜０．８Ｔｍ１であるから）。この場合、Ｓ３の処理を行うことなく、図６の処理を終了する。
【００７４】
これに対し、図８に示す不正行為の場合は、Ｓ２でＴｍ＜閾値となる。
【００７５】
図８（ａ）に示すように、不正行為の場合はハーネスの電源線に不正なスイッチＸが設けられ、当該スイッチＸにより電源ＶＣＣがオフにされる。スイッチＸからメイン基板１０にかけては大容量のコンデンサは設けられていない（電源部のコンデンサＣ１はスイッチＸにより切り離される）。したがって、メイン基板１０から見た電源ＶＣＣは、図８（ｂ）に示すように急速に低下する。
【００７６】
この状態において、電圧降下時間計測部１０−１が図８（ｂ）の異常な降下時間Ｔｍ２を計測したとき、Ｓ２でＴｍ＜閾値となる（Ｔｍ２＜０．５〜０．８Ｔｍ１）。
【００７７】
Ｓ２でＴｍ＜閾値となったら、Ｓ３の処理を実行する。
【００７８】
Ｓ３：異常フラグ記憶部１０−２に異常フラグをセットする。
【００７９】
図７は、電源オン時の処理フローチャートである。
【００８０】
Ｓ１０：異常フラグをチェックする。
メイン基板１０は、電源オン時、異常フラグ記憶部１０−２を調べ、異常フラグがセットされているかどうか判定する。
【００８１】
Ｓ１１：異常フラグの判定を行う。
異常フラグがセットされていないときは、Ｓ１３の通常の初期化処理を行い、遊技処理を実行する。
【００８２】
異常フラグがセットされているときは、Ｓ１２の異常報知及び／又は遊技停止を行う。具体的には次のような処理を行う。
【００８３】
・異常報知
遊技機において、ブザーを吹鳴したり、液晶表示装置にエラーを表示することで異常を報知する。この異常報知はホール店員の知るところとなり、不正行為を摘発することができる。これに代えて、又はこれとともに、ホールコンピュータへエラー信号を送信するようにしてもよい。
【００８４】
・遊技停止
遊技の受付を停止する。例えば、通常の初期化処理を行わず、メイン基板１０のＣＰＵの動作を停止させる。あるいは、メダルの受付を停止する。
【００８５】
・設定値を最も不利な値にする
前述のように、設定値は所定の値（通常１〜６）をとるから、設定変更の結果によらず、それらのうちで最も不利なもの（当選確率の低いもの）を強制的に設定するようにする。こうすることで、遊技機が遊技可能になっても、不正行為者は不利な設定値で遊技をせざるを得ず、不正行為の目的を達成することができない。
【００８６】
・設定変更を受け付けない
設定変更の結果を無視して、従前の設定値を用いて遊技を行うようにする。こうすることで、不正行為者は有利な設定値の設定という目的を達成することができない。
【００８７】
以上のように、この発明の実施の形態によれば、電源オフ時の電圧降下時間を計測し、それが予め定められた閾値より小さいときに異常フラグをセットするので、ハーネスに設けられた不正なスイッチの操作を、電源スイッチの正常な操作と区別することができる。異常フラグに基づき電源オン後において異常報知を行い及び／又は遊技停止にするにより、こと不正行為者に利益を与えることがなくなる。
なお、図６の処理Ｓ２において、閾値を通常の電圧降下時間とし、Ｔｍが閾値と一致しないときにＳ３の処理を行うようにしてもよい。すなわち、Ｔｍが通常の電圧降下時間Ｔｍ１と一致しなくなったら、Ｓ３の処理を行う。
【００８８】
図１０〜図１４を参照して、電圧降下時間の具体的計測手段について説明を加える。
【００８９】
図１０は、メイン基板１０のＣＰＵで直接計測するときのブロック図を示す。
【００９０】
同図の装置は、電源電圧ＶＣＣをデジタル値に変換するアナログ−デジタル変換器（Ａ／Ｄ変換器）１０−６を備え、その出力をＩ／Ｏから取り込むものである。図１０のＣＰＵは、遊技処理のためのものであるが電圧降下時間計測に兼用することができる。これに代えて、計測専用のＣＰＵを備えてもよい。
【００９１】
図１０の例では、ＣＰＵが電圧降下時間計測部１０−１として機能する。すなわち、ＣＰＵはＡ／Ｄ変換器１０−６の出力をＩ／Ｏから取り込み、これを監視している。電源電圧ＶＣＣが閾値ＶＵｔｈに達したときに計時を開始し、閾値ＶＬｔｈに達したときに計時を停止する。この計時結果を閾値（異常判定閾値）と比較する。これ以降、ＣＰＵは図６と図９の処理を実行する。なお、タイマー（例えばリアルタイムクロック（ＲＴＣ））を備え、これに基づき計時を行うようにしてもよい。すなわち、ＣＰＵは、電源電圧ＶＣＣが閾値ＶＵｔｈに達したときにタイマーに計時を開始させ、閾値ＶＬｔｈに達したときにタイマーの値を読み取る。タイマーを別途設けることで、ＣＰＵは計時処理から開放され、その処理負荷を軽減することができる。  
【００９２】
図１１は、電圧の計測はアナログ回路で行い、計時をＣＰＵで行うものである。
【００９３】
１０−７は電源電圧ＶＣＣを基準電圧源１０−９の閾値ＶＵｔｈと比較するコンパレータＡ（１０−７）である（以下、コンパレータＡ（１０−７）をコンパレータＡと記す）。コンパレータＡは、図１３（ｂ）に示すように、電源電圧ＶＣＣが閾値ＶＵｔｈを下回ったときに信号を出力する（Ｈレベルとなる）ように動作する。
【００９４】
１０−８は電源電圧ＶＣＣを基準電圧源１０−１０の閾値ＶＬｔｈと比較するコンパレータＢ（１０−８）である（以下、コンパレータＢ（１０−８）をコンパレータＢと記す）。コンパレータＢは、図１３（ｂ）に示すように、電源電圧ＶＣＣが閾値ＶＬｔｈを下回ったときに信号を出力する（Ｈレベルとなる）ように動作する。
【００９５】
コンパレータＡ及びＢの出力はＩ／Ｏに入力される。図１１の例では、ＣＰＵとコンパレータＡ及びＢが電圧降下時間計測部１０−１として機能する。
【００９６】
ＣＰＵは、コンパレータＡから信号が出力されたとき（図１３のｔ２）、計時を開始し、コンパレータＢから信号が出力されたとき（図１３のｔ３）、計時を停止する。これによりＴｍを計測することができる。
【００９７】
なお、コンパレータＡ及びＢの出力を、Ｉ／Ｏではなく、ＣＰＵの割り込み端子に入力するようにしてもよい。
【００９８】
図１２は、ＣＰＵを使用せずにハードウエアで図６の処理を行う装置のブロック図である。
【００９９】
１０−１１は、抵抗とコンデンサからなる回路１０−１３で当該抵抗の定数とコンデンサの定数から定まる時定数Ａに従って一定のパルスを発生するワンショット（単安定）マルチバイブレータである。
【０１００】
１０−１２は、抵抗とコンデンサからなる回路１０−１４で当該抵抗の定数とコンデンサの定数から定まる時定数Ｂに従って一定のパルスを発生するワンショット（単安定）マルチバイブレータである。
【０１０１】
以下、ワンショットマルチバイブレータ１０−１１，１０−１２を、ワンショットマルチバイブレータＡ，Ｂと記すことにする。
【０１０２】
１０−１５は、ワンショットマルチバイブレータＡ，Ｂの出力の論理積（ＡＮＤ）を求めるＡＮＤ回路である。
【０１０３】
図１２では、異常フラグ記憶部として双安定のフリップフロップ回路が使用されている。当該フリップフロップ回路は、フラグをセットする端子であるＳＥＴと、リセットする端子であるＲＥＳＥＴとを備えるが、同図ではＳＥＴのみを示している。
【０１０４】
図１２の回路を、図１３及び図１４を参照して説明する。
【０１０５】
コンパレータＡから信号が出力されたとき（図１３のｔ２）、ワンショットマルチバイブレータＡは、時定数Ａから定まる持続時間ＴＡのパルスを出力する。時定数Ａは、持続時間ＴＡが前述の閾値（異常判定閾値）に一致するように選ばれている。
【０１０６】
コンパレータＢから信号が出力されたとき（図１３のｔ３）、ワンショットマルチバイブレータＢは、時定数Ｂから定まる持続時間ＴＢのパルスを出力する。持続時間ＴＢは、フリップフロップ回路１０−２でフラグをセットできる程度に長ければよく、持続時間ＴＡに比べて制約は少ない。
【０１０７】
図１３は正常な電源オンオフを示すが、この場合、持続時間ＴＡのパルスは、電源電圧ＶＣＣが閾値ＶＬｔｈを下回るときまでには消えている。その後、持続時間ＴＢのパルスが発生するが、両者は時間的に重ならないのでＡＮＤ回路１０−１５から信号は出力されない。
【０１０８】
これに対し、図１４の不正な電源オンオフの場合、電源電圧ＶＣＣの降下時間は短いから、持続時間ＴＡのパルスは、電源電圧ＶＣＣが閾値ＶＬｔｈを下回るとき（時刻ｔ３’）にはまだ存在している。したがって、持続時間ＴＡのパルスと持続時間ＴＢのパルスは重なり、ＡＮＤ回路１０−１５から信号が出力される（図１４（ｂ）の点線がその出力を示す）。これにより、フリップフロップ回路１０−２のフラグがセットされる。
【０１０９】
以下、ＣＰＵが図９の処理を行うことにより、異常報知などを行う。
【０１１０】
本発明は、以上の実施の形態に限定されることなく、特許請求の範囲に記載された発明の範囲内で、種々の変更が可能であり、それらも本発明の範囲内に包含されるものであることは言うまでもない。
【符号の説明】
【０１１１】
１０−１    電圧降下時間計測部
１０−２    異常フラグ記憶部
１０−３    異常報知部
１０−４    バックアップ電源又は蓄電器Ａ
１０−５    バックアップ電源又は蓄電器Ｂ
【図１】
0005499311.tif 000002
【図２】
0005499311.tif 000003
【図３】
0005499311.tif 000004
【図４】
0005499311.tif 000005
【図５】
0005499311.tif 000006
【図６】
0005499311.tif 000007
【図７】
0005499311.tif 000008
【図８】
0005499311.tif 000009
【図９】
0005499311.tif 000010
【図１０】
0005499311.tif 000011
【図１１】
0005499311.tif 000012
【図１２】
0005499311.tif 000013
【図１３】
0005499311.tif 000014
【図１４】
0005499311.tif 000015